(57)【要約】【課題】従来のフライケースは吊り下げたり、蓋を開けないで中身を知ることができないので、数多く収納できるとともに、首に吊り下げたり中身を容易に見分けられるフライ収納ケースを提供する。【解決手段】容体２と蓋体３二つが、適度な幅の連結板４でヒンジ連結したフライ収納ケース１形成し、そのフライ収納ケース１の前記容体２端部に係合部５と吊り突起６，６を設け、他方、蓋体３には係止片７を設けて成る蓋体３表面に赤青黄色等の識別ラベル８を貼れるラベル凹部９を形成するとともに、前記連結板４には、基板１０の表裏面にスリット部１４を設けたフライ保持マット１５を形成して成る基板１０の一方を取り付けるとともに、前記容体２と蓋体３の内側面には、スリット部１４を設けた単体のフライ保持マット１５を複数個基板１０に設けたフライ保持マット１５を取り付けて成るフライ収納ケース１とする。【選択図】図１
0003134006.tif 000002
【実用新案登録請求の範囲】
【請求項１】
容体と蓋体の二つを連結板を介してヒンジ連結した前記容体の開放側端部に、複数個の吊り突起を設けたフライ収納ケースの容体と蓋体の内側に、基板に取り付けた発泡マットに複数個の開放部と数多くの切れ目によるスリット部を設けて成るフライ保持マットを取り付けた構成を特徴とする釣り用フライ収納ケース。
【請求項２】
前記する連結板に、スリット部を有するフライ保持マットを取り付けて成る請求項１に記載する釣り用フライ収納ケース。
【請求項３】
前記する連結板に、小さな釣り備品を保持できるホルダー片を設けて成る請求項１に記載する釣り用フライ収納ケース。
【請求項４】
前記する蓋体表面に、ラベル凹部を設けて成る請求項１に記載する釣り用フライ収納ケース。
【請求項５】
前記する容体と蓋体に取り付けたフライ保持マットが、フライマットホルダーを取り付けて取り替え自在とする請求項１から請求項４のいずれかの項に記載する釣り用フライ収納ケース。
【考案の詳細な説明】
【技術分野】
【０００１】  本考案は、フライフイッシングに用いる数多くのフライをスピーデイに整理できるとともに、足場の悪い場所での携行に際して吊り下げられることに加え、フライケースを開けずに中身の種類が分かる機能的なフライ収納ケースに関する。
【背景技術】
【０００２】  従来より、フライフイッシングは広く行われているが、近年はとりわけスポーツフイッシングとして女性の愛好者も増えるとともに、そのためのフライグッズも多様なものが開発されている。その中でも、フライ収納ケースは釣りに欠かせないものである。【０００３】  そのフライ収納ケースとしては、発泡ポリエチレンマットに数多くのスリットを施したフォームマットをケースの内側面に取り付けて、そのスリットにフライを挟み留められるフライ収納ケースがある。（例えば、特許文献１参照）
【特許文献１】実登３０４３９３６号公報
【考案の開示】
【考案が解決しようとする課題】
【０００４】  前記する実登３０４３９３６号公報による技術は本出願人によるものであり、その特徴は、フライケース内の両面にバネ板によるマットホルダーを取り付け、そのマットホルダーに、基板を備えたフォームマットに数多くのスリットを設けたフォームマットを前記のマットホルダーにセットし、そのフォームマットのスリットに数多くのフライを差し込んで保持できるとともに、前記のフォームマットが取り替えできる機能的なものである。
しかし、このフォームマットを納めるフライケースは、紐やチェーンで吊り下げて使用することはできないうえ、蓋を開けないと中身が分からないので、中身を見るには一々蓋を開けなければならないなどの面倒があった。また、スリット付きフォームマットは取り替えられる便利さはあるが、左右２面のみでそれ以上は設けられていなかった。
【課題を解決するための手段】
【０００５】  本考案は、前記するような不便や欠点を解消するために、請求項１においては、容体と蓋体の二つを連結板でヒンジ連結した前記容体の開放側端部に吊り突起を設けるとともに、前記蓋体の表面にラベル凹部を設けて成るフライ収納ケースを形成し、そのフライ収納ケースの容体と蓋体の内側に、発泡マットに数多くの切れ目によるスリット部を設けて成る基板付きフライ保持マットを取り付けることで、紐で吊り下げたり、蓋を開けずに中身の識別ができるフライ収納ケースとする。【０００６】  請求項２においては、前記する連結板に、スリット部を設けたフライ保持マットを取り付けることにより、フライをさらに数多く保持できるものとする。【０００７】  請求項３においては、前記する連結板に、小さな釣り備品を保持できるホルダー片を設けるものとする。【０００８】  請求項４においては、前記する蓋体表面にラベル凹部を設けることで、貼り付けたカラーラベルが剥がれにくく、中身の識別ができるようにする。【０００９】  請求項５においては、前記する容体と蓋体に取り付けたフライ保持マットが、フライマットホルダーを取り付けて取り替え可能な方式とする。
【考案の効果】
【００１０】  本考案による第１の実施形態におけるフライ収納ケースは、容体と蓋体の間に連結板を介在するとともに、その連結板に取り付けた基板の表裏２面と、前記容体と蓋体の内側面にフライ保持マットを取り付けているので、さらに数多くのフライを保持することができる。また、容体と蓋体の間に介在した連結板の左右それぞれはヒンジ連結しているので、開くとともに連結板を押し上げるようにしてフライ保持マットが立設されるため、中央に位置するフライ保持マットからフライを取り外すのも留めるのも容易に行える。【００１１】  さらに、第２の実施形態におけるフライ収納ケースは、容体と蓋体の内側面にバネ板によるフライマットホルダーを取り付け、好みのフライ保持マットを着脱自在に取り付けられるようにしている。【００１２】  加えて、前記する容体の係合側端部には吊り突起を二つ備えているので、紐やチェーンを取り付けると首に吊り下げられるので、従来のようにベストのポケットに出し入れしたり、紐で繋ぐことなく使用できるので作業性がよい。また、蓋体の表面にはラベル凹部を設けて、赤青黄色等の識別ラベルを貼ると剥がれにくく、且つ、蓋を開けずに中身が分かるなど、従来に見られない機能的にして多収納できるフライ収納ケースを提供できる。
【考案を実施するための最良の形態】
【００１３】  本考案におけるフライ収納ケースの第１の実施形態を、図１に示す斜視図と図２及び図３に示す拡大フライ保持マットの平面図で説明する。【００１４】  第１の実施形態によるフライ収納ケース１は、容体２と蓋体３二つが、適度な幅の連結板４を介してヒンジ連結して成るフライ収納ケース１形成し、そのフライ収納ケース１の前記容体２の端部に係合部５を設けるとともに、その左右に吊り突起６，６を設け、他方の蓋体３の開放側端部に係止片７を設けて成る蓋体３表面に、図５に示すように赤青黄色等の識別ラベル８を貼れるラベル凹部９を設ける。【００１５】  次に前記容体２と蓋体３の連結板４には、図２に示すように基板１０の表裏面に、適度な厚さと弾性ある発泡ポリエチレンマットに、一辺を波縁１１とする複数の開放部１２，１２を形成するとともに、その波縁１１部に一定の長さの切れ目１３を（図１は省略）数多く施したスリット部１４を設けたフライ保持マット１５の基板１０の片側を前記連結板４に取り付け、さらに前記した容体２と蓋体３の内側面には、図３に示すように波縁１１とスリット部１４を設けた小さな単体のフライ保持マット１５を適度な間隔で基板１０に複数個取り付けて成るフライ保持マット１５を取り付けたフライ収納ケース１を構成する。【００１６】  第１の実施形態によるフライ収納ケース１は、数多くのスリット部１４を設けたフライ保持マット１５を基板１０の表裏面に取り付けたものを、容体２と蓋体３の連結板４に取り付けるとともに、容体２と蓋体３の内側面には、複数個の小さなフライ保持マット１５，１５を基板１０に取り付けて成るフライ保持マット１５を貼り付けているので、フライを保持できる面は４面を形成する。【００１７】  加えて、前記するフライ保持マット１５のスリット部１４辺は波縁１１を形成しているので、フライを保持する際は、図４に示すように波縁１１から差し入れると容易に切れ目１３に保持できる。さらにフライ収納ケース１の容体２の縁部には吊り突起６，６を二つ設けているので、紐やチェーンを取り付けて首から吊り下げられる。加えて、蓋体３の表面にはラベル凹部９を設けて色違いにより識別ラベル８を貼れるため、携行時や取り扱い時による擦れなどでも剥がれにくいフライ収納ケース１を形成するとともに、蓋体３を開けずに中身の識別が容易である。さらに、容体２と蓋体３の間に介在した連結板４の左右はそれぞれヒンジ連結しているため、左右に開くとともに連結板４を押し上げるようにして中央のフライ保持マット１５は立設される。【００１８】  次に第２の実施形態によるフライ収納ケースを図３に示す斜視図で説明する。
第２の実施形態によるフライ収納ケース１に取り付けるフライ保持マット１５は取り変え可能なタイプである。本実施形態におけるフライ収納ケース１本体は、基本的には前記した第１実施形態と同様に、吊り突起６付き容体２と蓋体３二つを連結板４でヒンジ連結し、その連結板４には、釣りに必要なネイルノットパイプや他の釣り備品を保持するために、二つ一組とする略コの字状のホルダー片１６，１６を設けるとともに、前記容体２と蓋体３の内側面には、バネ板によるフライマットホルダー１７を取り付け、そのフライマットホルダー１７，１７に、前記第１実施形態の図２に示すようなフライ保持マット１５を基板１０の片面に取り付けたタイプや他のフライ保持マット１５を、前記フライマットホルダー１７に着脱自在に組み合わせられるフライ収納ケース１を構成する。尚、図示しないが本実施形態による蓋体３にもラベル凹部９を設けている。【００１９】  第２の実施形態によるフライ収納ケース１は、容体２と蓋体３の連結板４にホルダー片１６を備えているので、ネイルノットパイプや他の釣り備品を機能的に常備できる。さらに本実施形態におけるフライ保持マット１５はフライマットホルダー１７に組み合わせて自在に着脱できるものとしている。【００２０】  本考案におけるフライ保持マット１５は基板１０の両面に設けたタイプや、基板１０に波縁１１とスリット部１４を設けた小さな単体のフライ保持マット１５を複数個取り付けたタイプを示したが、その大きさや形状、個数は問わないものである。また、連結板４に取り付けたフライ保持マット１５は１個であるが、それ以上複数個でもよい。さらにフライ保持マット１５の素材はポリエチレン発泡マットとするが、適度な弾性と硬さがあれば他の発泡素材でもよい。さらにホルダー片１６は略コの字状であるが、保持する備品に合わせた他の形状のホルダーでも構わず、いずれも特に限定するものではない。
【図面の簡単な説明】
【００２１】
【図１】本考案によるフライ収納ケースの、第１の実施形態を示す斜視図である。
【図２】第１の実施形態の連結板に取り付けるフライ保持マットの拡大平面図である。
【図３】第１の実施形態の容体と蓋体に取り付けるタイプのフライ保持マットの一部を示す平面図である。
【図４】フライ保持マットにフライを保持する状態の参考図である。
【図５】フライ収納ケースを閉じた状態を示す平面図である。
【図６】本考案によるフライ収納ケースの、第２の実施形態を示す斜視図である。
【符号の説明】
【００２２】    １  フライ収納ケース
２  容体
３  蓋体
４  連結板
５  係合部
６  吊り突起
７  係止片
８  識別ラベル
９  ラベル凹部
１０  基板
１１  波縁
１２  開放部
１３  切れ目
１４  スリット部
１５  フライ保持マット
１６  ホルダー片
１７  フライマットホルダー
【図１】
0003134006.tif 000003
【図２】
0003134006.tif 000004
【図３】
0003134006.tif 000005
【図４】
0003134006.tif 000006
【図５】
0003134006.tif 000007
【図６】
0003134006.tif 000008